【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
表示手段の明るさを制御する制御手段と、
外部から電力が供給されている第１の状態のときに、前記制御手段が用いる明るさに関する第１の情報と、外部から電力が供給されていない第２の状態のときに、前記制御手段が用いる明るさに関する第２の情報をそれぞれ記憶する記憶手段と、
前記第１の状態から前記第２の状態へ、または、前記第２の状態から前記第１の状態へ状態が変更された場合、その状態の変更を検知する検知手段と
を備え、
前記制御手段は、前記検知手段により状態の変更が検知された場合、前記記憶手段に記憶されている前記第１の情報または前記第２の情報のうち、変更された状態に対応する情報を取得し、その情報に基づいて前記表示手段の明るさを制御する
ことを特徴とする情報処理装置。
【請求項２】
前記記憶手段は、複数の前記第１の情報と複数の前記第２の情報を記憶し、
前記制御手段は、前記検知手段により状態の変更が検知された場合、前記記憶手段に記憶されている前記第１の情報または前記第２の情報のうち、変更された状態に対応し、かつ所定の条件に該当する情報を取得し、その情報に基づく制御を開始し、
前記表示手段の明るさの変更がユーザにより指示された場合、前記第１の状態であるか、または、第２の状態であるかを判断し、その判断結果に対応した状態に関連付けられている前記第１の情報または前記第２の情報のうち、その時点で制御に用いられている情報とは異なる情報を前記記憶手段から取得し、その情報に基づいて前記表示手段の明るさを制御する
ことを特徴とする請求項１に記載の情報処理装置。
【請求項３】
前記記憶手段は、複数の前記第１の情報と複数の前記第２の情報を記憶し、前記第１の情報がそれぞれ設定された第１の時刻と、前記第２の情報がそれぞれ設定された第２の時刻をさらに記憶し、
前記制御手段は、前記第１の時刻または前記第２の時刻になった場合、それらの時刻に対応する前記第１の情報または前記第２の情報を取得し、その情報に基づいて前記表示手段の明るさを制御する
ことを特徴とする請求項１に記載の情報処理装置。
【請求項４】
表示手段を有する情報処理装置の情報処理方法において、
前記表示手段の明るさを制御する制御ステップと、
外部から電力が供給されている第１の状態のときに、前記制御ステップの処理で用いられる明るさに関する第１の情報と、外部から電力が供給されていない第２の状態のときに、前記制御ステップの処理で用いられる明るさに関する第２の情報のそれぞれの記憶を制御する記憶制御ステップと、
前記第１の状態から前記第２の状態へ、または、前記第２の状態から前記第１の状態へ状態が変更された場合、その状態の変更を検知する検知ステップと
を含み、
前記制御ステップの処理は、前記検知ステップの処理により状態の変更が検知された場合、前記記憶制御ステップの処理で記憶が制御された前記第１の情報または前記第２の情報のうち、変更された状態に対応する情報を取得し、その情報に基づいて前記表示手段の明るさを制御する
ことを特徴とする情報処理方法。
【請求項５】
表示手段を有する情報処理装置を制御するコンピュータのプログラムであって、
前記表示手段の明るさを制御する制御ステップと、
外部から電力が供給されている第１の状態のときに、前記制御ステップの処理で用いられる明るさに関する第１の情報と、外部から電力が供給されていない第２の状態のときに、前記制御ステップの処理で用いられる明るさに関する第２の情報のそれぞれの記憶を制御する記憶制御ステップと、
前記第１の状態から前記第２の状態へ、または、前記第２の状態から前記第１の状態へ状態が変更された場合、その状態の変更を検知する検知ステップと
を含み、
前記制御ステップの処理は、前記検知ステップの処理により状態の変更が検知された場合、前記記憶制御ステップの処理で記憶が制御された前記第１の情報または前記第２の情報のうち、変更された状態に対応する情報を取得し、その情報に基づいて前記表示手段の明るさを制御する
ことを特徴とするプログラム。
【請求項６】
請求項５に記載のプログラムを記録している
ことを特徴とする記録媒体。
【手続補正２】
【補正対象書類名】明細書
【補正対象項目名】０００７
【補正方法】変更
【補正の内容】
【０００７】
本発明の情報処理装置は、第１に、表示手段の明るさを制御する制御手段と、外部から電力が供給されている第１の状態のときに、制御手段が用いる明るさに関する第１の情報と、外部から電力が供給されていない第２の状態のときに、制御手段が用いる明るさに関する第２の情報をそれぞれ記憶する記憶手段と、第１の状態から第２の状態へ、または、第２の状態から第１の状態へ状態が変更された場合、その状態の変更を検知する検知手段とを備え、制御手段は、検知手段により状態の変更が検知された場合、記憶手段に記憶されている第１の情報または第２の情報のうち、変更された状態に対応する情報を取得し、その情報に基づいて表示手段の明るさを制御することを要旨とする。
【手続補正３】
【補正対象書類名】明細書
【補正対象項目名】０００８
【補正方法】変更
【補正の内容】
【０００８】
第２に、前記第１の要旨に加え、前記記憶手段は、複数の第１の情報と複数の第２の情報を記憶し、前記制御手段は、検知手段により状態の変更が検知された場合、記憶手段に記憶されている第１の情報または第２の情報のうち、変更された状態に対応し、かつ所定の条件に該当する情報を取得し、その情報に基づく制御を開始し、表示手段の明るさの変更がユーザにより指示された場合、第１の状態であるか、または、第２の状態であるかを判断し、その判断結果に対応した状態に関連付けられている第１の情報または第２の情報のうち、その時点で制御に用いられている情報とは異なる情報を記憶手段から取得し、その情報に基づいて表示手段の明るさを制御することを要旨とする。
【手続補正４】
【補正対象書類名】明細書
【補正対象項目名】０００９
【補正方法】変更
【補正の内容】
【０００９】
第３に、前記第１の要旨に加え、前記記憶手段は、複数の第１の情報と複数の第２の情報を記憶し、第１の情報がそれぞれ設定された第１の時刻と、第２の情報がそれぞれ設定された第２の時刻をさらに記憶し、前記制御手段は、第１の時刻または第２の時刻になった場合、それらの時刻に対応する第１の情報または第２の情報を取得し、その情報に基づいて表示手段の明るさを制御することを要旨とする。
【手続補正５】
【補正対象書類名】明細書
【補正対象項目名】００１０
【補正方法】変更
【補正の内容】
【００１０】
本発明の情報処理方法は、表示手段を有する情報処理装置の情報処理方法であって、表示手段の明るさを制御する制御ステップと、外部から電力が供給されている第１の状態のときに、制御ステップの処理で用いられる明るさに関する第１の情報と、外部から電力が供給されていない第２の状態のときに、制御ステップの処理で用いられる明るさに関する第２の情報のそれぞれの記憶を制御する記憶制御ステップと、第１の状態から第２の状態へ、または、第２の状態から第１の状態へ状態が変更された場合、その状態の変更を検知する検知ステップとを含み、制御ステップの処理は、検知ステップの処理により状態の変更が検知された場合、記憶制御ステップの処理で記憶が制御された第１の情報または第２の情報のうち、変更された状態に対応する情報を取得し、その情報に基づいて表示手段の明るさを制御することを要旨とする。
【手続補正６】
【補正対象書類名】明細書
【補正対象項目名】００１１
【補正方法】変更
【補正の内容】
【００１１】
本発明のプログラムは、表示手段を有する情報処理装置を制御するコンピュータのプログラムであって、表示手段の明るさを制御する制御ステップと、外部から電力が供給されている第１の状態のときに、制御ステップの処理で用いられる明るさに関する第１の情報と、外部から電力が供給されていない第２の状態のときに、制御ステップの処理で用いられる明るさに関する第２の情報のそれぞれの記憶を制御する記憶制御ステップと、第１の状態から第２の状態へ、または、第２の状態から第１の状態へ状態が変更された場合、その状態の変更を検知する検知ステップとを含み、制御ステップの処理は、検知ステップの処理により状態の変更が検知された場合、記憶制御ステップの処理で記憶が制御された第１の情報または第２の情報のうち、変更された状態に対応する情報を取得し、その情報に基づいて表示手段の明るさを制御することを要旨とする。